(57)【要約】【課題】窓用障子がサッシの外側に突出する形態で開放する窓の外側に、その障子の突出長さだけ離して設置する遮光用等のスクリーンを、その張設及び収納の操作を簡易に行えるようにした外付けスクリーン装置の設置機構を提供する。【解決手段】サッシ１の上部に庇を兼ねたスクリーン装置５の取付枠３を備え、その取付枠に、収納ボックス１０内にスクリーン１１の巻取り方向にばね１３で付勢されてスクリーンを巻き取る巻取軸１２を備えると共に、スクリーンの導出端にボトムバー６を取り付けたスクリーン装置５を、開閉する障子と干渉しないところまで外側に離して設置する。サッシの下部には、スクリーン装置の下方まで先端部が突出する固定アーム４を設け、ボトムバーに連結した操作コード７を該固定アームの先端部まで垂下させ、該先端部から上記固定アームに沿ってサッシ側に導く。【選択図】図１
2010037875.tif 000002
【特許請求の範囲】
【請求項１】
窓用障子がサッシの外側に突出する形態で開放する窓における該障子の外側にスクリーン装置を設置してなる外付けスクリーン装置の設置機構であって、
上記スクリーン装置は、スクリーンと、収納ボックスと、該収納ボックス内に支持され、スクリーンの巻取り方向にばねで付勢されてその付勢力により上記スクリーンを巻き取る巻取軸と、スクリーンの収納ボックスからの導出端に取り付けられたボトムバーと、ボトムバーに連結された操作コードとを備え、
上記スクリーン装置は、上記サッシの上部から突出させた庇を兼ねる取付枠に対し、上記収納ボックス及びそれから導出して垂下させたスクリーンが、開放した上記障子と干渉しないところまで該障子から外側に離れた位置に取り付けられ、
上記操作コードを、上記サッシの下部から上記スクリーン装置の下方まで突出する固定アームの先端部から該固定アームに沿ってサッシ側に導いている、
ことを特徴とする外付けスクリーン装置の設置機構。
【請求項２】
上記スクリーン装置の収納ボックスの長手方向の一端の連結部と上記取付枠における連結受部との一方に突子を、他方に該突子が嵌入する凹穴を設け、上記収納ボックスの連結部を取付枠における連結受部の上側に位置させて上記突子と凹穴とを嵌合させ、上記収納ボックスの他端においては、該収納ボックスを取付枠にねじ固定することにより、上記スクリーン装置を上記取付枠に着脱自在に取り付けている、
ことを特徴とする請求項１に記載の外付けスクリーン装置の設置機構。
【請求項３】
上記固定アームの先端部に、上記ボトムバーに連結して垂下させた操作コードを上記固定アームに沿ってサッシ側に導く転向子を設け、上記固定アームのサッシ側に、上記操作コードを上記サッシの開口側に導くための転向子を設けている、
ことを特徴とする請求項１または２に記載の外付けスクリーン装置の設置機構。
【請求項４】
上記操作コードにおける、上記固定アームのサッシ側に設けた転向子から上記サッシの開口側に導いた部分に、該操作コードに沿って位置調整可能なコードストッパを設け、このコードストッパは、上記固定アームに当接することによりそれを越えて移動不能に形成されている、
ことを特徴とする請求項３に記載の外付けスクリーン装置の設置機構。
【請求項５】
上記固定アームが、上記サッシの下部に収納される収納位置と、先端部が上記スクリーン装置の下方まで突出する突出位置とに転位可能である、
ことを特徴とする請求項１〜４のいずれかに記載の外付けスクリーン装置の設置機構。
【請求項６】
上記ボトムバーに対する上記操作コードの連結を、該ボトムバーの係合溝に対して弾性的に係合して、上記操作コードに対し一定張力が作用したときに上記係合が離脱する連結子によって行っている、
ことを特徴とする請求項１〜５のいずれかに記載の外付けスクリーン装置の設置機構。
【請求項７】
上記サッシの下部に、上記固定アームに沿ってサッシ側に導いた上記操作コードの遊端側を巻き取る巻きリールを備えている、
ことを特徴とする請求項１〜６のいずれかに記載の外付けスクリーン装置の設置機構。
【発明の詳細な説明】
【技術分野】
【０００１】
本発明は、窓用障子がサッシの外側に突出する形態で開放する窓における該障子の外側にスクリーン装置を設置するようにした外付けスクリーン装置の設置機構に関するものである。
【背景技術】
【０００２】
夏期において西日が入射するような部屋には、その西日が入射する窓等の建物開口部の外側に、例えば特許文献１に開示されているような遮光用スクリーンを設置することが望まれるが、この種のスクリーンは、冬期などの日射を積極的に取り込みたい場合や、台風などでスクリーンが損傷する可能性がある場合には、安全な状態に収納できるようにしておく必要がある。
このスクリーンの設置及び収納は、上記窓等が一般的な引き違いの障子のように窓等における開口が比較的大きい場合には問題はないが、窓用障子がサッシの外側に突出する形態で開放する窓等においては、障子が外側に突出する長さだけスクリーンを外側に設置する必要があるばかりでなく、障子を開いた場合の開口部の大きさが制限されるので、上記スクリーンの設置及び収納の操作が困難になるのが通例である。
【特許文献１】特開２００５−２１８５６６号公報
【発明の開示】
【発明が解決しようとする課題】
【０００３】
本発明の技術的課題は、窓用障子がサッシの外側に突出する形態で開放する窓のように、上記窓用障子が外側に突出する長さだけスクリーンを外側に設置する必要があるばかりでなく、障子を開いた場合の開口部の大きさが制限される場合において、上記スクリーンの張設及び収納の操作、あるいはその設置を簡易に行えるようにした外付けスクリーン装置の設置機構を提供することにある。
【課題を解決するための手段】
【０００４】
上記課題を解決するため、本発明によれば、窓用障子がサッシの外側に突出する形態で開放する窓における該障子の外側にスクリーン装置を設置してなる外付けスクリーン装置の設置機構であって、上記スクリーン装置は、スクリーンと、収納ボックスと、該収納ボックス内に支持され、スクリーンの巻取り方向にばねで付勢されてその付勢力により上記スクリーンを巻き取る巻取軸と、スクリーンの収納ボックスからの導出端に取り付けられたボトムバーと、ボトムバーに連結された操作コードとを備え、上記スクリーン装置は、上記サッシの上部から突出させた庇を兼ねる取付枠に対し、上記収納ボックス及びそれから導出して垂下させたスクリーンが、開放した上記障子と干渉しないところまで該障子から外側に離れた位置に取り付けられ、上記操作コードを、上記サッシの下部から上記スクリーン装置の下方まで突出する固定アームの先端部から該固定アームに沿ってサッシ側に導いていることを特徴とする外付けスクリーン装置の設置機構が提供される。
【０００５】
本発明に係る上記外付けスクリーン装置の設置機構の好ましい実施形態においては、上記スクリーン装置の収納ボックスの長手方向の一端の連結部と上記取付枠における連結受部との一方に突子を、他方に該突子が嵌入する凹穴を設け、上記収納ボックスの連結部を取付枠における連結受部の上側に位置させて上記突子と凹穴とを嵌合させ、上記収納ボックスの他端においては、該収納ボックスを取付枠にねじ固定することにより、上記スクリーン装置が上記取付枠に着脱自在に取り付けられる。
【０００６】
また、上記外付けスクリーン装置の設置機構の好ましい実施形態においては、上記固定アームの先端部に、上記ボトムバーに連結して垂下させた操作コードを上記固定アームに沿ってサッシ側に導く転向子を設け、上記固定アームのサッシ側に、上記操作コードを上記サッシの開口側に導くための転向子が設けられる。そして、上記操作コードには、上記固定アームのサッシ側に設けた転向子から上記サッシの開口側に導いた部分に、該操作コードに沿って位置調整可能なコードストッパが設けられ、このコードストッパが、上記固定アームに当接することによりそれを越えて移動不能に形成される。上記固定アームは、上記サッシの下部に収納される収納位置と、先端部が上記スクリーン装置の下方まで突出する突出位置とに転位可能にするのが望まれる。
【０００７】
更に、上記外付けスクリーン装置の設置機構の他の好ましい実施形態においては、上記ボトムバーに対する上記操作コードの連結が、該ボトムバーの係合溝に対して弾性的に係合して、上記操作コードに対し一定張力が作用したときに上記係合が離脱する連結子によって行われる。また、上記サッシの下部に、上記固定アームに沿ってサッシ側に導いた上記操作コードの遊端側を巻き取る巻きリールが設けられる。
【発明の効果】
【０００８】
以上に詳述した本発明の外付けスクリーン装置の設置機構によれば、窓用障子がサッシの外側に突出する形態で開放する窓のように、上記窓用障子が外側に突出する長さだけスクリーンを外側に設置する必要があるばかりでなく、障子を開いた場合の開口部の大きさが制限される場合において、上記スクリーンの張設及び収納の操作、あるいはその設置を簡易に行えるようにした外付けスクリーン装置の設置機構を得ることができる。
【発明を実施するための最良の形態】
【０００９】
図１及び図２は、本発明に係る外付けスクリーン装置の設置機構の実施例の全体的構成を示している。
この実施例の外付けスクリーン装置の設置機構は、窓用障子２（図３及び図５）がサッシ１の外側に突出する形態で開放する窓における該障子２の外側にスクリーン装置５を設置するためのものであり、例えば、辷り出し窓のように障子２の開閉方式が特殊で、開口部の向きや大きさが制限された特殊な窓の外側に遮光（日除け）のためにスクリーンを設ける場合に特に適している。しかしながら、上記スクリーン装置５は、遮光を目的とするものに限ることなく、例えば目隠し等を目的とする場合にも適用することができる。
【００１０】
上記外付けスクリーン装置の設置機構は、概略的には、窓用障子２が外側に突出する形態で開放するサッシ１と、上記窓用障子２の外側に設置されるスクリーン装置５と、上記サッシ１の上部に庇を兼ねたものとして設置された上記スクリーン装置５の取付枠３と、上記サッシ１の下部に設けられて、スクリーン装置５の下方まで先端部が突出する固定アーム４とを備えている。該固定アーム４は、上記スクリーン装置５のボトムバー６に連結して該固定アーム４の先端部まで垂下させた操作コード７を、該先端部からサッシ１側に導くために配設したものである。
【００１１】
上記スクリーン装置５は、上記取付枠３に取り付ける収納ボックス１０内に、スクリーン１１の一端を固定して巻き付けた巻取軸１２を回転可能に支持させて、該巻取軸１２をそれに内蔵したばね１３で上記スクリーン１１の巻取り方向に付勢させ、その付勢力により該スクリーン１１を巻き取るようにしたものであり、上記スクリーン１１の他端である収納ボックス１０からの導出端には、上記ボトムバー６を取り付けている。このスクリーン装置５の巻取機構自体は、従来から周知のものである。なお、上記スクリーン１１としては、通風性のあるネットを用いる場合を図示しているが、適度な遮光性を有する各種スクリーンを用いることができる。
【００１２】
上記取付枠３に対する上記スクリーン装置５の取付位置は、上記収納ボックス１０及びそれから導出して垂下させたスクリーン１１が、開放に際して外側に突出した上記障子２と干渉しないところまで該障子２から外側に離れた位置である。上記スクリーン装置５の設置位置が上記障子２に近い場合において、該障子２が上記収納ボックス１０及びスクリーン１１と干渉するのを避けるためには、該障子２にその開放範囲を制限するストッパを設けることもできる。
【００１３】
上記スクリーン装置５の取付枠３に対する固定は、図３に示すように、上記収納ボックス１０の長手方向の一端の連結部１６に下向き突子１６ａを設けると共に、上記取付枠３における連結受部１７に該突子１６ａが嵌入する凹穴１７ａを設け、そして、上記収納ボックス１０の連結部１６を取付枠３における連結受部１７の上側に位置させて、上記突子１６ａを凹穴１７ａに嵌合させ、しかる後に、同図中に矢印で示すように、上記収納ボックス１０の他端を取付枠３側に移動させて該取付枠３に押し当てて、該収納ボックス１０と取付枠３の当接部１８，１９を相互にねじ２０で固定することにより、上記スクリーン装置５を上記取付枠３に着脱自在に取り付けている。上記収納ボックス１０の連結部１６と取付枠３における連結受部１７との連結には、そのいずれか一方に突子１６ａを、他方に該突子１６ａが嵌入する凹穴１７ａを設けることができる。
【００１４】
上記スクリーン装置５の取付枠３に対する固定は、上記サッシ１に取り付けている障子２を開いたときにその開口からスクリーン装置５を窓の外に出せるのであれば、室内側から行うことも可能であり、具体的には、図３に示すような状態で開いた窓の開口からスクリーン装置５を窓外に出して、収納ボックス１０の一端の連結部１６の下向き突子１６ａを取付枠３における連結受部１７の凹穴１７ａに嵌合させ、しかる後に上記収納ボックス１０の他端を取付枠３側に押し当てて、当接部１８，１９を相互にねじ２０で固定すればよい。該収納ボックス１０と取付枠３とは、最終的に適宜複数個所でねじ止めすることができる。収納ボックス１０の一端の連結部１６における突子１６ａを取付枠３の連結受部１７の凹穴１７ａに嵌合させた後における上記収納ボックス１０の他端の引き寄せは、予め上記収納ボックス１０に引き紐を連結しておくなど、作業を容易にする適宜手段を採用することができる。
【００１５】
一方、図５に示すように、上記サッシ１の下部において障子２の開閉と干渉しない位置には、上記取付枠３に取り付けたスクリーン装置５の下方まで先端部が突出する前記固定アーム４を、該サッシ１から突出させて設けている。この固定アーム４は、取付金具２２を介して上記サッシ１の下部に水平面内で回転可能に支持させ、該サッシ１の下枠の下方に収納される収納位置と、図５に示すように先端部が上記スクリーン装置５の下方まで突出する突出位置とに転位可能にしたものである。なお、上記固定アーム４が収納位置と突出位置にあるときには、該固定アーム４にそれらの位置を保持させるための位置保持手段、例えば弾性的にそれらの位置を保持するようにした弾発部や、それらの位置に固定的に保持させるロック手段等を付設することができる。
【００１６】
上記固定アーム４は、図１、図２及び図４からわかるように、上記ボトムバー６に連結して該固定アーム４の先端部まで垂下させた操作コード７を、該先端部から該固定アーム４に沿ってサッシ１側に導くためのもので、該固定アーム４の先端部には、ボトムバー６から垂下させた操作コード７を挿通して固定アーム４の下方に導く通孔２３、及び該通孔２３の下方に架設して操作コード７を固定アーム４に沿ってサッシ１側に転向させて導くためのピンからなる転向子２４を設け、また、上記固定アーム４の取付金具２２に近いサッシ１側の基端部には、上記操作コード７を上記サッシ１の開口側に転向させて導くためのピンからなる転向子２５を設け、そして、固定アーム４には、転向した操作コード７を挿通する通孔２６を設け、該通孔２６を通して操作コード７をサッシ１の開口側に導いている。
【００１７】
上記操作コード７における固定アーム４の通孔２６からサッシ１の開口側に導出した部分には、該操作コード７に沿って固定位置を調整可能なコードストッパ３０を取り付けている。このコードストッパ３０は、図６に示すように、中空状本体３１内に収容したスプリング３３の付勢力で押しボタン３２を突出位置に保持し、上記中空状本体３１と押しボタン３２にそれぞれ設けた操作コード７の挿通孔３１ａ，３２ａが、該押しボタン３２をスプリング３３の付勢力に抗して押し込んでいるときには相互に広い範囲で連通するために、それらに挿通した操作コード７が自由に移動するが、該押しボタン３２がスプリング３３の付勢力で突出した位置にあるときには、両挿通孔３１ａ，３２ａの連通部分が狭窄され、その狭窄部分において操作コード７が固定的に保持された図示の状態になるものである。
【００１８】
従って、上記コードストッパ３０は、上記押しボタン３２の押圧により、操作コード７の任意位置に位置調整が可能なものである。そして、このコードストッパ３０は、上記固定アーム４に当接することによりそれを越えて移動不能に形成されたものであり、そのため、操作コード７における所要の位置にコードストッパ３０を保持させることにより、スクリーン１１の張設長さを設定することができる。また、上記サッシ１の室内側における下部の適宜位置に、上記固定アーム４に沿ってサッシ１側に導いて、サッシ１と障子２の間から室内に導入した操作コード７の遊端側を巻き取る巻きリール３５を設けているが、この巻きリール３５により、操作コード７の遊端をまとめると同時に、上記コードストッパ３０と同様に機能させ、スクリーン１１の張設長さを設定することができる。
【００１９】
上記スクリーン１１は、強風などでそれが損傷する可能性がある場合には、収納ボックス１０に収納しておくのが望ましいが、図示の実施例では、上記ボトムバー６に対する操作コード７の連結が、上記操作コード７に対して一定の張力が作用したときに自動的に外れ、それにより、スクリーン１１が張設状態にあっても、巻取軸１２内に収容してスクリーン１１を巻取り方向に付勢しているばね１３の作用により、スクリーン１１が収納ボックス１０内に巻き取られるようにして、安全対策を講じている。
【００２０】
即ち、図７及び図８に明瞭に示すように、上記ボトムバー６に対する操作コード７の連結は、具体的には、該ボトムバー６の下面に、操作コード７の連結端に取り付けた連結子８を連結するための係合溝６ａを設け、上記操作コード７の連結子８は、弾性のあるＵ字状に湾曲した薄板の両端部に係合用凹凸８ａを設けることにより構成し、該連結子８の両端部を上記係合溝６ａに挿入してその係合用凹凸８ａを係合溝６ａの溝縁に対して弾性的に係合させることにより、上記操作コード７に対し一定張力が作用したときに上記係合が離脱するように構成している。なお、上記ボトムバー６と操作コード７との連結には、一定張力で係合が離脱する他の任意構造を採用することができる。
【図面の簡単な説明】
【００２１】
【図１】本発明に係る外付けスクリーン装置の設置機構の実施例の側断面図である。
【図２】同実施例の部分破断正面図である。
【図３】同実施例におけるスクリーン装置を取付枠に取り付ける態様を説明するための模式的斜視図である。
【図４】同実施例における固定アームの構成を示す斜視図である。
【図５】上記実施例と実質的に同じ構成例におけるスクリーン装置の操作態様を説明するための模式的斜視図である。
【図６】操作コードに取り付けるコードストッパの断面図である。
【図７】ボトムバーに対する操作コードの連結構造を示す部分破断要部斜視図である。
【図８】ボトムバーの操作コード連結部分の拡大断面図である。
【符号の説明】
【００２２】
１    サッシ
２    障子
３    取付枠
４    固定アーム
５    スクリーン装置
６    ボトムバー
６ａ  係合溝
７    操作コード
８    連結子
１０    収納ボックス
１１    スクリーン
１２    巻取軸
１３    ばね
１６    連結部
１６ａ  突子
１７    連結受部
１７ａ  凹穴
２４，２５    転向子
３０    コードストッパ
３５    巻きリール
【図１】
2010037875.tif 000003
【図２】
2010037875.tif 000004
【図３】
2010037875.tif 000005
【図４】
2010037875.tif 000006
【図５】
2010037875.tif 000007
【図６】
2010037875.tif 000008
【図７】
2010037875.tif 000009
【図８】
2010037875.tif 000010